(57)【要約】【課題】完全に密閉することが可能であり、しかも容易に製造できるものであって、開口部を確実に開放できる密封袋の提供。【解決手段】袋本体１の開口部１ａに接着されたチャックテープ２の内面に下側凸条２４が設けられており、この下側凸条２４が、これに対向するチャックテープ２の内面、あるいは他の下側凸条２４に対して当接するものであって、この下側凸条２４が形成された側のチャックテープ２が、開口部１ａを開放するために設けられたスライダー３における外側爪部３３の当接により受けた力Ｘを各嵌合条部２１ａ，２１ｂの下部へと、前記各嵌合条部２１ａ，２１ｂを引き離そうとする力Ｙとして伝達できる程度の剛性を有する。【選択図】図６
2010095292.tif 000002
【特許請求の範囲】
【請求項１】
対向する関係にあるプラスチックフィルムから構成された袋本体（１）の上端に設けられた開口部（１ａ）に、前記袋本体（１）とは別に形成された樹脂製のチャックテープ（２）が接着されており、このチャックテープ（２）を開放及び閉鎖するためのスライダー（３）が上記開口部（１ａ）を跨ぐようにして設けられたものであって、
上記チャックテープ（２）は、対向するように配位された二枚のテープ状体である一方側テープ（２ａ）と他方側テープ（２ｂ）とからなり、
上記一方側テープ（２ａ）には、上記他方側テープ（２ｂ）と対向する側の表面である内面から突出するようにして、長手方向に延びる一方側嵌合条部（２１ａ）が設けられており、
上記他方側テープ（２ｂ）には、上記一方側テープ（２ａ）と対向する側の表面である内面から突出するようにして、上記一方側嵌合条部（２１ａ）に嵌合可能な、長手方向に延びる他方側嵌合条部（２１ｂ）が設けられており、
スライダー（３）は、開口時スライダー位置（Ｏ）から閉鎖時スライダー位置（Ｓ）までの間を上記チャックテープ（２）に沿って前後方向に移動可能とされており、
上記開口部（１ａ）を跨ぐように設けられたスライダー本体（３１）と、
上記スライダー本体（３１）の上方部分（３１１）における内面から突出したものであり、上記対向する一方側テープ（２ａ）と他方側テープ（２ｂ）との間に挟まれるようにして設けられたセンター部（３２）と、
上記スライダー本体（３１）のうち側方部分（３１２）における、少なくとも一方側の内面から突出したものであり、上記袋本体（１）の外側表面に当接するように設けられた外側爪部（３３）とを備えており、
上記センター部（３２）は、上記各嵌合条部（２１ａ，２１ｂ）の上方において、上記各テープ（２ａ，２ｂ）の間を広げることにより、各嵌合条部（２１ａ，２１ｂ）を引き離して開口部（１ａ）を開放するように配位されており、
上記一方側テープ（２ａ）と他方側テープ（２ｂ）との少なくとも一方における上記内面の、上記嵌合条部（２１ａ，２１ｂ）よりも下方、かつ、上記スライダー（３）の外側爪部（３３）よりも上方に下側凸条（２４）が設けられており、
この下側凸条（２４）が、これに対向するチャックテープ（２）の内面、あるいは、前記対向するチャックテープ（２）に設けられた他の下側凸条（２４）に対して当接するものであって、
上記スライダー（３）の外側爪部（３３）と、これに対向する側方部分（３１２）、あるいは、前記対向する側方部分（３１２）に設けられた他の外側爪部（３３）との間隔が、
上記下側凸条（２４）の当接がなされた際における、一方側テープ（２ａ）と他方側テープ（２ｂ）の各外面間の間隔よりも小さく、
上記下側凸条（２４）が形成された側のチャックテープ（２）が、外側爪部（３３）の直接的あるいは間接的な当接により受けた力（Ｘ）を、各嵌合条部（２１ａ，２１ｂ）の下部へと、前記各嵌合条部（２１ａ，２１ｂ）を引き離そうとする力（Ｙ）として伝達できる程度の剛性を有することを特徴とする密封袋。
【請求項２】
対向する関係にあるプラスチックフィルムから構成された袋本体（１）の上端に設けられた開口部（１ａ）に、前記袋本体（１）とは別に形成された樹脂製のチャックテープ（２）が接着されており、このチャックテープ（２）を開放及び閉鎖するためのスライダー（３）が上記開口部（１ａ）を跨ぐようにして設けられたものであって、
上記チャックテープ（２）は、対向するように配位された二枚のテープ状体である一方側テープ（２ａ）と他方側テープ（２ｂ）とからなり、
上記一方側テープ（２ａ）には、上記他方側テープ（２ｂ）と対向する側の表面である内面から突出するようにして、長手方向に延びる一方側嵌合条部（２１ａ）が設けられており、
上記他方側テープ（２ｂ）には、上記一方側テープ（２ａ）と対向する側の表面である内面から突出するようにして、上記一方側嵌合条部（２１ａ）に嵌合可能な、長手方向に延びる他方側嵌合条部（２１ｂ）が設けられており、
スライダー（３）は、開口時スライダー位置（Ｏ）から閉鎖時スライダー位置（Ｓ）までの間を上記チャックテープ（２）に沿って前後方向に移動可能とされており、
上記開口部（１ａ）を跨ぐように設けられたスライダー本体（３１）と、
上記スライダー本体（３１）の上方部分（３１１）における内面から突出したものであり、上記対向する一方側テープ（２ａ）と他方側テープ（２ｂ）との間に挟まれるようにして設けられたセンター部（３２）と、
上記スライダー本体（３１）のうち側方部分（３１２）における、少なくとも一方側の内面から突出したものであり、上記袋本体（１）の外側表面に当接するように設けられた外側爪部（３３）とを備えており、
上記センター部（３２）は、上記各嵌合条部（２１ａ，２１ｂ）の上方において、上記各テープ（２ａ，２ｂ）の間を広げることにより、各嵌合条部（２１ａ，２１ｂ）を引き離して開口部（１ａ）を開放するように配位されており、
上記一方側テープ（２ａ）と他方側テープ（２ｂ）との少なくとも一方における上記内面の、上記嵌合条部（２１ａ，２１ｂ）よりも下方、かつ、上記スライダー（３）の外側爪部（３３）よりも上方に下側凸条（２４）が設けられており、
この下側凸条（２４）が、これに対向するチャックテープ（２）の内面、あるいは、前記対向するチャックテープ（２）に設けられた他の下側凸条（２４）に対して当接するものであって、
上記チャックテープ（２）のうち、上記スライダー（３）の外側爪部（３３）から押圧を受ける部分が力点、上記下側凸条（２４）の上記当接がなされる点が支点（２４ａ）、上記各嵌合条部（２１ａ，２１ｂ）の下部が作用点としてテコの作用をなし、
上記外側爪部（３３）からの押圧力（Ｘ）が上記各嵌合条部（２１ａ，２１ｂ）の下部に、前記各嵌合条部（２１ａ，２１ｂ）を引き離そうとする力（Ｙ）として伝達されることを特徴とする密封袋。
【請求項３】
上記嵌合条部（２１ａ，２１ｂ）の上下方向における中央位置から下側凸条（２４）の上下方向における中央位置までの距離（ｄ１）と、
上記スライダー（３）の外側爪部（３３）における、チャックテープ（２）に直接的あるいは間接的に当接する部分の上端位置から下側凸条（２４）の上下方向における中央位置までの距離（ｄ２）との比率が、１０：１〜１：１であることを特徴とする、請求項１または２に記載の密封袋。
【請求項４】
上記一方側テープ（２ａ）と他方側テープ（２ｂ）との少なくとも一方には、上記内面から突出するようにして、上記嵌合条部（２１ａ，２１ｂ）よりも上方において、この嵌合条部（２１ａ，２１ｂ）と平行にガイド用凸条（２２）が設けられており、
上記スライダー（３）のセンター部（３２）が、
上記スライダー本体（３１）の上方部分（３１１）における内面から突出した支持部（３２１）と、
この支持部（３２１）の先端側に形成された膨出部（３２２）を有しており、
この膨出部（３２２）は上記嵌合条部（２１ａ，２１ｂ）とガイド用凸条（２２）との間に配位されるもので、上記支持部（３２１）よりも大きな横断面積を有しており、
上記側方部分（３１２）のうち、少なくとも上記膨出部（３２２）と正面視あるいは背面視において重なる部分に貫通穴（３４）が設けられたことを特徴とする、請求項１〜３のいずれかに記載の密封袋。
【請求項５】
上記一方側テープ（２ａ）と他方側テープ（２ｂ）との少なくとも一方には、上記内面から突出するようにして、上記嵌合条部（２１ａ，２１ｂ）よりも上方において、この嵌合条部（２１ａ，２１ｂ）と平行にガイド用凸条（２２）が設けられており、
上記スライダー（３）のセンター部（３２）が、
上記スライダー本体（３１）の上方部分（３１１）における内面から突出した支持部（３２１）と、
この支持部（３２１）の先端側に形成された膨出部（３２２）を有しており、
この膨出部（３２２）は上記嵌合条部（２１ａ，２１ｂ）とガイド用凸条（２２）との間に配位されるもので、上記支持部（３２１）よりも大きな横断面積を有しており、
上記側方部分（３１２）のうち、少なくとも上記膨出部（３２２）と正面視あるいは背面視において重なる内面のうち少なくとも一方には、上記膨出部（３２２）に当接しないように凹部が設けられており、
上記膨出部（３２２）の前後位置であり、上記凹部が設けられていない部分における側方部分（３１２）の内面同士の間隔が正面−背面方向における、膨出部（３２２）の最大寸法よりも小さいことを特徴とする、請求項１〜３のいずれかに記載の密封袋。
【請求項６】
上記一方側テープ（２ａ）と他方側テープ（２ｂ）のうち一方の上端部が、同他方の上端部よりも下方に位置しており、
上記下方側に位置するテープ（２ａ，２ｂ）における上端部の、上記内面にスライダー導入補助用凸条（２５）が設けられたことを特徴とする、請求項１〜５のいずれかに記載の密封袋。
【請求項７】
上記一方側嵌合条部（２１ａ）が、上記長手方向に延びる一条の溝を有しており、
上記他方側嵌合条部（２１ｂ）が、上記溝に嵌合可能な、上記長手方向に延びる一条の突起を有することを特徴とする、請求項１〜６のいずれかに記載の密封袋。
【請求項８】
上記開口部（１ａ）は、ヒートシールがなされて開口部止めシール（１１，１２）が形成されたことにより、上記の開口時スライダー位置（Ｏ）と閉鎖時スライダー位置（Ｓ）におけるスライダー（３）に各々隣接する部分の一方側テープ（２ａ）と他方側テープ（２ｂ）とが接着されており、
上記開口部止めシール（１１，１２）の形成に際し、上記下側凸条（２４）がヒートシール時の熱で溶け、その溶けた樹脂が上記各テープ（２ａ，２ｂ）間に供給され、上記開口部止めシール（１１，１２）の一部となることを特徴とする、請求項１〜７のいずれかに記載の密封袋。
【請求項９】
上記下側凸条（２４）が上下方向においてずれた位置に設けられたことを特徴とする、請求項８に記載の密封袋。
【請求項１０】
請求項１〜９のいずれかに記載の密封袋に用いることのできるチャックテープ。
【請求項１１】
請求項１〜９のいずれかに記載の密封袋に用いることのできるスライダー。
【発明の詳細な説明】
【技術分野】
【０００１】
本願発明は、スライダーにより開口部を開閉可能とした密封袋に関するものである。
【背景技術】
【０００２】
【特許文献１】特開２００２−５８５０９号公報
【特許文献２】特開２００１−１３０５９４号公報
【０００３】
従来から、スライダーにより開口部を開閉可能とした密封袋は周知である。
【０００４】
この密封袋は、対向する関係にあるプラスチックフィルムから構成された袋本体の上端に設けられた開口部にチャックを備えたものであり、このチャックを開放及び閉鎖するためのスライダーが開口部を跨ぐようにして設けられたものである。
【０００５】
この密封袋の一例として特許文献１に係る発明が存在する。これは、図１１に示すように、袋の開口部に凹条１０１ａと凸条１０１ｂとが対向したチャック１０１が設けられており、このチャック１０１に沿って開放位置から閉鎖位置までスライド可能にスライダー１０２が設けられたものである。
【０００６】
このスライダー１０２によってチャック１０１を開閉可能とするため、閉鎖の際には図示のように、スライダー１０２の内面１０２ａにてチャック１０１を押さえることが必要である。一方、開放の際には、上記の凹条１０１ａと凸条１０１ｂとを引き離すことができるように、凹条１０１ａと凸条１０１ｂとの間にスライダー１０２のセンター部１０２ｂを挟んでいる。
【発明の開示】
【発明が解決しようとする課題】
【０００７】
ところが、このセンター部１０２ｂが挟まれている部分においては、凹条１０１ａと凸条１０１ｂとを嵌合させることができずに、凹条１０１ａと凸条１０１ｂとの間に空間が保たれたままになるため、チャック１０１を完全に密閉することができなかった。つまり、この特許文献１に係る発明は「チャック間割り込み式」と言える構成を取るものである。
【０００８】
一方、特許文献２に係る発明では、図１２に示すように、センター部１０２ｂが凹条１０１ａ及び凸条１０１ｂから外れた部分に設けられている。つまり、この特許文献２に係る発明は上記「チャック間割り込み式」に対して「チャック上方拡開式」と言える構成を取るものである。この発明においては、チャック１０１の凹条１０１ａ及び凸条１０１ｂの上方にガイド用凸条１０３が設けられており、図示のように、センター部１０２ｂの先端に設けられた膨出部１０２ｂ１が凹条１０１ａ及び凸条１０１ｂとガイド用凸条１０３との間に配位される。そして、各チャック１０１，１０１のベース部分１０１ｃ，１０１ｃを上記膨出部１０２ｂ１が押し広げることで凹条１０１ａと凸条１０１ｂとを引き離すことができる。このような構成であることから、上記特許文献１に係る発明のように、凹条１０１ａ及び凸条１０１ｂとの間にセンター部１０２ｂが挟まれてチャック１０１を完全に密閉することができないという問題は起こらない。
【０００９】
しかし、この特許文献２に係る発明におけるセンター部１０２ｂは凹条１０１ａ及び凸条１０１ｂの上方に設けられているため、上記膨出部１０２ｂ１が上記ベース部分１０１ｃ，１０１ｃを押し広げようとする力が、凹条１０１ａと凸条１０１ｂの上部にはかかりやすいが、下部にはかかりにくいという、「チャック上方拡開式」特有の、力が偏る問題がある。そのため、スライダー１０２を開放方向に移動させても、凹条１０１ａと凸条１０１ｂの下半分が開放できないような不良が発生する可能性があった。
【００１０】
また、図１２に示すように、この特許文献２に係るスライダー１０２をチャック１０１に取り付けるためには、ガイド用凸条１０３を通り越してスライダー１０２のセンター部１０２ｂを各チャック１０１，１０１のベース部分１０１ｃ，１０１ｃに挟まれた空間に押し込む必要がある。
【００１１】
ところが、センター部１０２ｂを上記のように押し込もうとしても、各チャック１０１，１０１の外側にはスライダー１０２の外側部１０２ｃが存在しているため、ガイド用凸条１０３同士の間をセンター部１０２ｂが通過可能に広げることが難しい。そのため、この特許文献２に係る発明では、図１３（Ｂ）に示すように、センター部１０２ｂをスライダー１０２のうちでチャック１０１を跨ぐ部分に対して跳ね上げられるような構造としておき、まず外側部１０２ｃがチャック１０１を外側から挟むようにし、その上で、センター部１０２ｂを各チャック１０１，１０１のベース部分１０１ｃ，１０１ｃに挟まれた空間に挿入することにより、スライダー１０２を取り付け可能としていた。なお、特許文献１に係るスライダー１０２においても、凹条１０１ａと凸条１０１ｂとの間にセンター部１０２ｂを挟むようにしないとならないことから、図１３（Ａ）に示すように、センター部１０２ｂが跳ね上げられる構造とされていた。
【００１２】
しかし、このような跳ね上げ可能な構造とすることはスライダー１０２の製造工程が複雑となる問題がある。そして、スライダー１０２をチャック１０１に取り付けるのに手間がかかるという問題や、この作業を自動化することが難しいという問題もあった。
【００１３】
本願発明は上記のことに鑑み、完全に密閉することが可能であり、しかも容易に製造できるものであって、開口部を確実に開放できる密封袋を提供することを課題とする。
【００１４】
そして、上記のように跳ね上げ式などの特殊な構造を採用しなくても、チャックにスライダーを取り付けることが容易な密封袋を提供することを課題とする。
【課題を解決するための手段】
【００１５】
上記課題を解決するために、本願の請求項１に記載の発明は、対向する関係にあるプラスチックフィルムから構成された袋本体１の上端に設けられた開口部１ａに、前記袋本体１とは別に形成された樹脂製のチャックテープ２が接着されており、このチャックテープ２を開放及び閉鎖するためのスライダー３が上記開口部１ａを跨ぐようにして設けられたものであって、上記チャックテープ２は、対向するように配位された二枚のテープ状体である一方側テープ２ａと他方側テープ２ｂとからなり、上記一方側テープ２ａには、上記他方側テープ２ｂと対向する側の表面である内面から突出するようにして、長手方向に延びる一方側嵌合条部２１ａが設けられており、上記他方側テープ２ｂには、上記一方側テープ２ａと対向する側の表面である内面から突出するようにして、上記一方側嵌合条部２１ａに嵌合可能な、長手方向に延びる他方側嵌合条部２１ｂが設けられており、スライダー３は、開口時スライダー位置Ｏから閉鎖時スライダー位置Ｓまでの間を上記チャックテープ２に沿って前後方向に移動可能とされており、上記開口部１ａを跨ぐように設けられたスライダー本体３１と、上記スライダー本体３１の上方部分３１１における内面から突出したものであり、上記対向する一方側テープ２ａと他方側テープ２ｂとの間に挟まれるようにして設けられたセンター部３２と、上記スライダー本体３１のうち側方部分３１２における、少なくとも一方側の内面から突出したものであり、上記袋本体１の外側表面に当接するように設けられた外側爪部３３とを備えており、上記センター部３２は、上記各嵌合条部２１ａ，２１ｂの上方において、上記各テープ２ａ，２ｂの間を広げることにより、各嵌合条部２１ａ，２１ｂを引き離して開口部１ａを開放するように配位されており、上記一方側テープ２ａと他方側テープ２ｂとの少なくとも一方における上記内面の、上記嵌合条部２１ａ，２１ｂよりも下方、かつ、上記スライダー３の外側爪部３３よりも上方に下側凸条２４が設けられており、この下側凸条２４が、これに対向するチャックテープ２の内面、あるいは、前記対向するチャックテープ２に設けられた他の下側凸条２４に対して当接するものであって、上記スライダー３の外側爪部３３と、これに対向する側方部分３１２、あるいは、前記対向する側方部分３１２に設けられた他の外側爪部３３との間隔が、上記下側凸条２４の当接がなされた際における、一方側テープ２ａと他方側テープ２ｂの各外面間の間隔よりも小さく、上記下側凸条２４が形成された側のチャックテープ２が、外側爪部３３の直接的あるいは間接的な当接により受けた力Ｘを、各嵌合条部２１ａ，２１ｂの下部へと、前記各嵌合条部２１ａ，２１ｂを引き離そうとする力Ｙとして伝達できる程度の剛性を有することを特徴とする密封袋を提供する。
【００１６】
また、本願の請求項２に記載の発明は、対向する関係にあるプラスチックフィルムから構成された袋本体１の上端に設けられた開口部１ａに、前記袋本体１とは別に形成された樹脂製のチャックテープ２が接着されており、このチャックテープ２を開放及び閉鎖するためのスライダー３が上記開口部１ａを跨ぐようにして設けられたものであって、上記チャックテープ２は、対向するように配位された二枚のテープ状体である一方側テープ２ａと他方側テープ２ｂとからなり、上記一方側テープ２ａには、上記他方側テープ２ｂと対向する側の表面である内面から突出するようにして、長手方向に延びる一方側嵌合条部２１ａが設けられており、上記他方側テープ２ｂには、上記一方側テープ２ａと対向する側の表面である内面から突出するようにして、上記一方側嵌合条部２１ａに嵌合可能な、長手方向に延びる他方側嵌合条部２１ｂが設けられており、スライダー３は、開口時スライダー位置Ｏから閉鎖時スライダー位置Ｓまでの間を上記チャックテープ２に沿って前後方向に移動可能とされており、上記開口部１ａを跨ぐように設けられたスライダー本体３１と、上記スライダー本体３１の上方部分３１１における内面から突出したものであり、上記対向する一方側テープ２ａと他方側テープ２ｂとの間に挟まれるようにして設けられたセンター部３２と、上記スライダー本体３１のうち側方部分３１２における、少なくとも一方側の内面から突出したものであり、上記袋本体１の外側表面に当接するように設けられた外側爪部３３とを備えており、上記センター部３２は、上記各嵌合条部２１ａ，２１ｂの上方において、上記各テープ２ａ，２ｂの間を広げることにより、各嵌合条部２１ａ，２１ｂを引き離して開口部１ａを開放するように配位されており、上記一方側テープ２ａと他方側テープ２ｂとの少なくとも一方における上記内面の、上記嵌合条部２１ａ，２１ｂよりも下方、かつ、上記スライダー３の外側爪部３３よりも上方に下側凸条２４が設けられており、この下側凸条２４が、これに対向するチャックテープ２の内面、あるいは、前記対向するチャックテープ２に設けられた他の下側凸条２４に対して当接するものであって、上記チャックテープ２のうち、上記スライダー３の外側爪部３３から押圧を受ける部分が力点、上記下側凸条２４の上記当接がなされる点が支点２４ａ、上記各嵌合条部２１ａ，２１ｂの下部が作用点としてテコの作用をなし、上記外側爪部３３からの押圧力Ｘが上記各嵌合条部２１ａ，２１ｂの下部に、前記各嵌合条部２１ａ，２１ｂを引き離そうとする力Ｙとして伝達されることを特徴とする密封袋を提供する。
【００１７】
また、本願の請求項３に記載の発明は、上記嵌合条部２１ａ，２１ｂの上下方向における中央位置から下側凸条２４の上下方向における中央位置までの距離ｄ１と、上記スライダー３の外側爪部３３における、チャックテープ２に直接的あるいは間接的に当接する部分の上端位置から下側凸条２４の上下方向における中央位置までの距離ｄ２との比率が、１０：１〜１：１であることを特徴とする、請求項１または２に記載の密封袋を提供する。
【００１８】
また、本願の請求項４に記載の発明は、上記一方側テープ２ａと他方側テープ２ｂとの少なくとも一方には、上記内面から突出するようにして、上記嵌合条部２１ａ，２１ｂよりも上方において、この嵌合条部２１ａ，２１ｂと平行にガイド用凸条２２が設けられており、上記スライダー３のセンター部３２が、上記スライダー本体３１の上方部分３１１における内面から突出した支持部３２１と、この支持部３２１の先端側に形成された膨出部３２２を有しており、この膨出部３２２は上記嵌合条部２１ａ，２１ｂとガイド用凸条２２との間に配位されるもので、上記支持部３２１よりも大きな横断面積を有しており、上記側方部分３１２のうち、少なくとも上記膨出部３２２と正面視あるいは背面視において重なる部分に貫通穴３４が設けられたことを特徴とする、請求項１〜３のいずれかに記載の密封袋を提供する。
【００１９】
また、本願の請求項５に記載の発明は、上記一方側テープ２ａと他方側テープ２ｂとの少なくとも一方には、上記内面から突出するようにして、上記嵌合条部２１ａ，２１ｂよりも上方において、この嵌合条部２１ａ，２１ｂと平行にガイド用凸条２２が設けられており、上記スライダー３のセンター部３２が、上記スライダー本体３１の上方部分３１１における内面から突出した支持部３２１と、この支持部３２１の先端側に形成された膨出部３２２を有しており、この膨出部３２２は上記嵌合条部２１ａ，２１ｂとガイド用凸条２２との間に配位されるもので、上記支持部３２１よりも大きな横断面積を有しており、上記側方部分３１２のうち、少なくとも上記膨出部３２２と正面視あるいは背面視において重なる内面のうち少なくとも一方には、上記膨出部３２２に当接しないように凹部が設けられており、上記膨出部３２２の前後位置であり、上記凹部が設けられていない部分における側方部分３１２の内面同士の間隔が正面−背面方向における、膨出部３２２の最大寸法よりも小さいことを特徴とする、請求項１〜３のいずれかに記載の密封袋を提供する。
【００２０】
また、本願の請求項６に記載の発明は、上記一方側テープ２ａと他方側テープ２ｂのうち一方の上端部が、同他方の上端部よりも下方に位置しており、上記下方側に位置するテープ２ａ，２ｂにおける上端部の、上記内面にスライダー導入補助用凸条２５が設けられたことを特徴とする、請求項１〜５のいずれかに記載の密封袋を提供する。
【００２１】
また、本願の請求項７に記載の発明は、上記一方側嵌合条部２１ａが、上記長手方向に延びる一条の溝を有しており、上記他方側嵌合条部２１ｂが、上記溝に嵌合可能な、上記長手方向に延びる一条の突起を有することを特徴とする、請求項１〜６のいずれかに記載の密封袋を提供する。
【００２２】
また、本願の請求項８に記載の発明は、上記開口部１ａは、ヒートシールがなされて開口部止めシール１１，１２が形成されたことにより、上記の開口時スライダー位置Ｏと閉鎖時スライダー位置Ｓにおけるスライダー３に各々隣接する部分の一方側テープ２ａと他方側テープ２ｂとが接着されており、上記開口部止めシール１１，１２の形成に際し、上記下側凸条２４がヒートシール時の熱で溶け、その溶けた樹脂が上記各テープ２ａ，２ｂ間に供給され、上記開口部止めシール１１，１２の一部となることを特徴とする、請求項１〜７のいずれかに記載の密封袋を提供する。
【００２３】
また、本願の請求項９に記載の発明は、上記下側凸条２４が上下方向においてずれた位置に設けられたことを特徴とする、請求項８に記載の密封袋を提供する。
【００２４】
また、本願の請求項１０に記載の発明は、請求項１〜９のいずれかに記載の密封袋に用いることのできるチャックテープを提供する。
【００２５】
また、本願の請求項１１に記載の発明は、請求項１〜９のいずれかに記載の密封袋に用いることのできるスライダーを提供する。
【発明の効果】
【００２６】
本願発明は、開放される際に各嵌合条部２１ａ，２１ｂを上下で引き離すことができる。そのため、開口部１ａの開放を確実になすことができる。よって、完全に密閉することが可能であり、しかも容易に製造できるものであって、開口部を確実に開放できる密封袋を提供することができたものである。
【００２７】
そして特に、本願の請求項３または４に係る発明では、スライダー３に貫通穴３４、あるいは凹部が形成されているため、各テープ２ａ，２ｂを貫通穴３４、凹部に食い込ませるようにできる。よってその分、センター部３２の挿入がしやすくなる。よって、上記従来のように跳ね上げ式などの特殊な構造を採用しなくても、チャックにスライダーを取り付けることが容易な密封袋を提供することができたものである。
【発明を実施するための最良の形態】
【００２８】
以下、図面に基づき本願発明の実施の形態の一例をとりあげて説明する。図１は、本例に係る密封袋の全体を示す。図２は同密封袋の開口部及びチャックテープを示す。図３及び図４はスライダーを示す。図５はスライダーの取り付けられた密封袋の開口部を示す。図６及び図７は下側凸条及びその作用を示す。図８は開口部止めシールを示す。図９はポケット部を示す。図１０は他の例を示す。なお、袋本体の図上における記載は、図２及び図９では説明上必要な部分のみとしており、図５及び図６では記載を省略している（実際には図２に示すように設けられている）。
【００２９】
なお本願では、図１に示した状態を基に上下方向を特定しているが、これにより本願発明が限定して解釈されるものではない。また、スライダー３を基準として、閉鎖時スライダー位置Ｓの方向（図１における右方）を前方、開口時スライダー位置Ｏの方向（図１における左方）を後方としている。そして「幅方向」とは、上記前後方向及び上下方向に直交する方向とする。
【００３０】
本願発明に係る密封袋は、袋本体１、チャックテープ２、スライダー３の三点が組み合わされて構成されている。
【００３１】
［袋本体］
袋本体１は、対向する関係にあるプラスチックフィルムから構成された袋状の部分である。このプラスチックフィルムとしては、エアーバリア性を有するものを用いることが望ましい。本例では、ヒートシール可能な素材からなる、長方形のプラスチックシートを二枚、各々の端辺が一致するように重ね合わせ、開口部となる部分以外の端辺（本例のように逆止弁１ｂが端辺に設けられる場合は、その部分も除く）をヒートシールにより接着した平たい形状の袋である。ただし、袋本体１の形状は本例のものに限定されるものではなく、例えば端部に襠を有する袋や風船状の袋としても良い。
【００３２】
また、詳細な構造は説明しないが、袋本体１の内部を脱気するための逆止弁１ｂをこの袋本体１に設けても良い。本例では図示のように、プラスチックフィルムからなる逆止弁１ｂを袋本体１の図示下側端辺において、袋本体１を構成する対向するプラスチックフィルムに挟むようにして設けている。この逆止弁１ｂは袋本体１と一体に形成しても良いし、例えば円盤状である硬質プラスチック製のものとし、袋本体１のプラスチックフィルムを貫通するように設けても良い。
【００３３】
［チャックテープ］
次に、チャックテープ２について説明する。このチャックテープ２は、上記袋本体１とは別に形成された樹脂製の長尺体である。これは熱により溶融することによってヒートシールが可能な素材からなっており、本例ではポリエチレン樹脂が用いられている。このチャックテープ２は、袋本体１の上端に設けられた開口部１ａの内面にヒートシールにより接着されている。この接着は、上記開口部１ａに対してチャックテープ２の長手方向が平行になるようになされる。
【００３４】
このチャックテープ２は、対向するように配位された二枚のテープ状体である一方側テープ２ａと他方側テープ２ｂとからなる。これらの各テープ２ａ，２ｂは、表面が平坦である帯状のベース部２０を有しており、そのベース部２０の内外面に、後述する種々の凸条（２１ａ，２１ｂ，２２，２３，２４，２５）が、例えばベース部２０と共に押出成形されて一体に設けられている。これらの凸条はチャックテープ２の長手方向と平行に設けられている。つまり、上記の開口部１ａに対してこれらの凸条は平行となる。また当然ながら、各凸条同士も平行の関係を有している。
【００３５】
［嵌合条部］
まず、一方側テープ２ａには、他方側テープ２ｂと対向する側の表面である内面から突出するようにして、長手方向に延びる一方側嵌合条部２１ａが設けられている。そして、他方側テープ２ｂには、一方側テープ２ａと対向する側の表面である内面から突出するようにして、上記一方側嵌合条部２１ａに嵌合可能な、長手方向に延びる他方側嵌合条部２１ｂが設けられている。
【００３６】
各嵌合条部２１ａ，２１ｂの組み合わせは、本例では、図２に示すように、一方側嵌合条部２１ａが凹条、他方側嵌合条部２１ｂが凸条とされている。このような凹条と凸条との組み合わせが一般的であるが、一方側と他方側とが気密に嵌合可能なものであれば、例えば一方側嵌合条部２１ａが凹条と凸条とを共に有した形状とされ、他方側嵌合条部２１ｂがこれに対応するように凸条と凹条ととを共に有した形状とされたものなど、種々の形状で実施することができる。
【００３７】
本例の一方側嵌合条部２１ａは長手方向に延びる一条の溝を有しており、他方側嵌合条部２１ｂは、上記一条の溝に嵌合可能な、長手方向に延びる一条の突起を有するものとされている。この構成を取る理由は、本願発明が、上記で説明した「チャック上方拡開式」と言える構成を取るものであって、各嵌合条部２１ａ，２１ｂの間にスライダー３のセンター部３２が直接挟み込まれないものであり、各嵌合条部２１ａ，２１ｂの嵌合解除が各嵌合条部２１ａ，２１ｂよりも上方にて一方側テープ２ａと他方側テープ２ｂとを押し広げることで間接的になされるからであって、多条のものよりも一条のものの方が嵌合解除が、より容易にできるからである。
【００３８】
ただし本願発明は、各嵌合条部２１ａ，２１ｂ毎に多条の溝や突起を有するものを排除するものではない。後述のように、本願発明はテコの作用により各嵌合条部２１ａ，２１ｂの下部にも、各嵌合条部２１ａ，２１ｂを引き離す力Ｙを及ぼすことができるため、多条の溝や突起を有するものであっても、失敗無く開放させることが可能であるためである。
【００３９】
また、チャックテープ２の一枚当たりに形成される嵌合条部２１ａ，２１ｂの本数についても、本例のように一本であっても良いし、複数本が並列して設けられたものであっても良い。
【００４０】
［ガイド用凸条］
そして、上記一方側テープ２ａと他方側テープ２ｂとの少なくとも一方には、ベース部２０の内面から突出するようにしてガイド用凸条２２が設けられている。このガイド用凸条２２は、上記各嵌合条部２１ａ，２１ｂよりも上方において、各嵌合条部２１ａ，２１ｂと平行に設けられたものである。本例においては、このガイド用凸条２２は一方側テープ２ａには設けられておらず、他方側テープ２ｂの内面にのみ設けられている。図５に示すように、上記の各嵌合条部２１ａ，２１ｂとこのガイド用凸条２２との間に、後述するスライダー３の膨出部３２２が配位される。
【００４１】
このテープ側ガイド部２２は、上記の各嵌合条部２１ａ，２１ｂと共に、スライダー３の膨出部３２２の上下動を規制することによって、スライダー３を開口部１ａに対して平行移動できるようにするものである。これにより、密封袋の安定した開閉動作を可能とできる。
【００４２】
［下側ガイド部］
そして、各テープ２ａ，２ｂの少なくとも一方における外面には下側ガイド部２３が設けられている。本例では各テープ２ａ，２ｂのベース部２０の各外面に設けられている。この下側ガイド部２３は上記の各嵌合条部２１ａ，２１ｂよりも下方に設けられている。この下側ガイド部２３は、後述するスライダー３の外側爪部３３と直接あるいは間接的に係合する部分である。本例では袋本体１越しに間接的に係合する。
【００４３】
このように下側ガイド部２３を形成することにより、上記のテープ側ガイド部２２と共に、スライダー３の上下方向へのずれを抑えることができ、チャックテープ２に沿ってスライダー３を安定して移動させることができる。そして、スライダー３の外側爪部３３がチャックテープ２に当接する位置を一定に保つことができる。そのため、後述のように外側爪部３３から各嵌合条部２１ａ，２１ｂの下部に対し、各嵌合条部２１ａ，２１ｂを引き離す力Ｙを安定して及ぼすことができる。ただし、テープ側ガイド部２２やその他の手段によって、スライダー３の上下方向へのずれを抑えることができる場合には、この下側ガイド部２３を全く設けないようにすることも可能である。
【００４４】
［下側凸条］
また、各テープ２ａ，２ｂの少なくとも一方における内面において、上記嵌合条部２１ａ，２１ｂよりも下方、かつ、上記スライダー３の外側爪部３３よりも上方に下側凸条２４が設けられている。本例における下側凸条２４は、各テープ２ａ，２ｂのベース部２０の各内面に設けられているが、一方の内面にのみ設けられたものであっても良い（図７（Ｃ）参照）。
【００４５】
この下側凸条２４は開口部１ａを確実に開放するために重要な要素となる。詳細については後述する。
【００４６】
そしてこの下側凸条２４は、密封袋を形成する際に施される、ヒートシール時の熱で溶けた樹脂を上記各テープ２ａ，２ｂ間に供給するためにも作用するものである。
【００４７】
後述するポケット部Ｐを形成するために、図８に示す内側閉鎖シール１１１がヒートシールによって形成されるが、この下側凸条２４は、内側閉鎖シール１１１に十分な溶融樹脂を供給するためのものとして機能する。
【００４８】
後述のように、内側閉鎖シール１１１の上端１１１ａは各嵌合条部２１ａ，２１ｂのいずれかの下端よりも上方に形成されるものとされる。よって、上記各嵌合条部２１ａ，２１ｂのいずれかの下端より下方における、各テープ２ａ，２ｂの間の空間をヒートシールの際の熱によって溶融した、下側凸条２４を由来とする樹脂で埋めることができるため、ポケット部Ｐの形成による密封袋の気密性の保持をより確実になすことができる。そして本例では図２に示すように、各テープ２ａ，２ｂが組み合わされた状態で、各下側凸条２４，２４が上下方向においてずれた位置に設けられている。これにより、溶けた樹脂が極力重なり合うことなく、効率良く各テープ２ａ，２ｂ間に供給できる。
【００４９】
［スライダー導入補助用凸条］
次に、各テープ２ａ，２ｂのうち一方の上端部が、同他方の上端部よりも下方に位置しており、この下方側に位置するテープ（本例では一方側テープ２ａ）における上端部の内面にスライダー導入補助用凸条２５が設けられている。本例では、図２に示すように、一方側テープ２ａの上端部が他方側テープ２ｂとの上端部よりも下方に位置しており、一方側テープ２ａにおける上端部の内面に、縦断面形状が、上端が絞られた略三角形の凸条として設けられている。
【００５０】
このように各テープ２ａ，２ｂの上端部の位置を変え、スライダー導入補助用凸条２５が設けられたことで、各テープ２ａ，２ｂの上端部を重なり合わないようにでき、かつ、スライダー導入補助用凸条２５の分だけ各テープ２ａ，２ｂの上端部が離れた状態とできる。よって、スライダー３を袋本体１の開口部１ａに取り付ける際において、このスライダー３のセンター部３２を各テープ２ａ，２ｂの間に挿入することを容易にできる。
【００５１】
［スライダー］
次に、スライダー３について説明する。このスライダー３は、上記のチャックテープ２を開放・閉鎖するためのものであって、図１及び図５（Ａ）に示すように開口部１ａを跨ぐようにして設けられたものである。このスライダー３は、図１に示す左端側である開口時スライダー位置Ｏから図１に示す右端側である閉鎖時スライダー位置Ｓまでの間を上記チャックテープ２に沿って前後方向に移動可能とされている。
【００５２】
このスライダー３は図５に示すように、上記開口部１ａを跨ぐように設けることのできる部分であるスライダー本体３１と、このスライダー本体３１の上方部分３１１における内面から突出したものであり、上記対向する一方側テープ２ａと他方側テープ２ｂとの間に挟まれるようにして設けられたセンター部３２と、スライダー本体３１のうち側方部分３１２における内面から突出したものであり、袋本体１の外側表面に当接するように設けられた外側爪部３３とを主に備えている。
【００５３】
側方部分３１２の内面間の寸法は、図４（Ｃ）に示すように、 開口時スライダー位置Ｏ寄りが狭く、閉鎖時スライダー位置Ｓ寄りが広く形成されている。開口部１ａを閉鎖するためにスライダー３を閉鎖時スライダー位置Ｓに向けて移動させた場合、チャックテープ２の水平方向における一つの位置を基準とすると、その位置をこの側方部分３１２の内面間が狭まるようにスライダー３が通過していくため、それに伴い、各テープ２ａ，２ｂの間隔が狭められるように側方部分３１２に押圧され、各嵌合条部２１ａ，２１ｂが嵌合することとなる。
【００５４】
図３〜図５に示すように、外側爪部３３は基本的には対向する側方部分３１２，３１２の各内面に設けられるが、場合によっては、片方の側方部分３１２にのみ設けられていても良い。
【００５５】
［センター部］
上記センター部３２は、図５（Ｂ）に示すように、スライダー３の開放動作に伴って各テープ２ａ，２ｂ同士の間を押し開くことで、各嵌合条部２１ａ，２１ｂの嵌合を解除させるものであって、スライダー本体３１の上方部分３１１における内面から突出するように設けられている。そして上記の上方部分３１１に対し、センター部３２は一体とされている。このセンター部３２は、上記各嵌合条部２１ａ，２１ｂの上端と袋本体１の開口部１ａとの間に配位されるものである。つまり、先に説明した特許文献１に係る発明のような「チャック間割り込み式」の構成とは異なり、各嵌合条部２１ａ，２１ｂの間にセンター部３２は挟まれない。そのため、図１１に示すように、各嵌合条部２１ａ，２１ｂの間にセンター部３２が挟まれることによって各嵌合条部２１ａ，２１ｂが嵌合できずに空間が保たれたままになることがなく、開口部１ａを完全に密閉することができる。そのため例えば、密封袋の中に酸素吸収剤を入れて密閉することにより無酸素袋として使用することもできる。
【００５６】
上記センター部３２は膨出部３２２を有している。本例では、図示のようにスライダー本体３１から突出する棒状の支持部３２１が設けられており、この支持部３２１の先端に膨出部３２２が設けられている。そして本例では、図４（Ｅ）に示すように支持部３２１の横断面形状が十字形とされており、図４（Ｄ）に示すように膨出部３２２の横断面形状が略菱形とされている。膨出部３２２の方が支持部３２１よりも大きな横断面積を有している。なお、支持部３２１の根本側についても、センター部３２を強化するために横断面積が拡大されている。本例の膨出部３２２の前後には突起部３２２ａが突出して設けられているが、これは主に、開口部１ａにスライダー３を取り付ける際、各テープ２ａ，２ｂの間にセンター部３２を差し込みやすくするためのものである。
【００５７】
［外側爪部］
外側爪部３３は、図５に示すように、上記チャックテープ２の下側ガイド部２３よりも下方に配位される。この外側爪部３３は下側ガイド部２３の長手方向に対して平行に形成されており、これによって外側爪部３３が下側ガイド部２３にガイドされる。そのため、スライダー３を開口部１ａに対して平行に移動させることができる。
【００５８】
この外側爪部３３は、上記の下側凸条２４と共に、開口部１ａを確実に開放するために重要な要素である。詳細は後述する。
【００５９】
［貫通穴、凹部］
また、スライダー３全体の幅寸法をコンパクトにするために、スライダー３の側方部分３１２のうち、少なくとも上記膨出部３２２と正面視あるいは背面視において重なる部分に貫通穴３４が設けられている（図３（Ｂ）（Ｄ）、図４（Ａ）（Ｂ）（Ｄ）（Ｅ）参照）。本例では上下方向において縦長の長方形の穴とされている。このように貫通穴３４を設けたことにより、図４（Ｄ）（Ｅ）に示すように、側方部分３１２の内面間距離よりも、センター部３２のうちで特に膨出部３２２の幅寸法を大きくすることができる。つまり、十分に開閉機能を発揮するための膨出部３２２の幅寸法を変えることなく、スライダーを薄くできる。
【００６０】
なお、上記のような貫通穴３４に代えて、側方部分３１２の内面に凹部を形成しても良い。つまり、側方部分３１２のうち、少なくとも上記膨出部３２２と正面視あるいは背面視において重なる内面のうち少なくとも一方に凹部を設ける。この凹部は、底面が上記膨出部３２２に当接しない位置に設けられており、側方部分３１２のうち上記凹部が設けられていない部分の内面間距離よりも、センター部３２のうちで特に膨出部３２２の幅寸法（最大寸法）を大きくすることができる。つまり上記の貫通穴３４を設けた場合と同様、十分に開閉機能を発揮するための膨出部３２２の幅寸法を変えることなく、スライダーを薄くできる。なお、上記の貫通穴３４はこの凹部の一態様であると言うこともできる。
【００６１】
［スライダーの開口部への取り付け］
このスライダー３は、上記のようにスライダー本体３１が開口部１ａに跨がるように取り付けられ、これと共にセンター部３２が一方側テープ２ａと他方側テープ２ｂとの間へと挿入される。
【００６２】
ここで、図１２に示すように、特許文献２に係るスライダー１０２では膨出部１０２ｂ１が存在していたため、外側部１０２ｃを各チャック１０１，１０１の外側に取り付けつつ、同時に、センター部１０２ｂを各チャック１０１，１０１の間へと挿入する作業は困難である。よって、図１３（Ｂ）に示すように、センター部１０２ｂが同スライダー本体に対して跳ね上げられるようにされており、外側部１０２ｃを各チャック１０１，１０１の外側に取り付けた後にセンター部１０２ｂを各チャック１０１，１０１の間へと挿入することができるものとされている。
【００６３】
これに対し、本願発明では上記のように貫通穴３４（あるいは凹部）が形成されているため、テープ２ａ，２ｂを貫通穴３４（凹部）に食い込ませるようにできる。よってその分、テープ２ａ，２ｂの間が広がり、センター部３２の挿入がしやすくなる。そして、貫通穴３４独自の効果としては、袋本体１やチャックテープ２が不透明でない限り、この貫通穴３４を通してセンター部３２と各テープ２ａ，２ｂとの位置関係が目視確認できるため、挿入作業がより簡単にできることが挙げられる。このように、センター部３２の挿入にさほどの困難を伴わないため、従来のようにセンター部３２をスライダー本体３１に対して跳ね上げるような構造としておく必要がなく、スライダーの構造を簡略化することができる。
【００６４】
なお本例では、図３（Ａ）（Ｃ）、図４（Ａ）（Ｂ）に示すように、スライダー３の下端が上記の外側爪部３３よりも下方に延長されて設けられており、図５に示すように、この延長部分３１ａの内面が上記袋本体１の外側表面から離れて配位されている。この延長部分３１ａ，３１ａの間を押し広げることによって、上記のスライダー本体３１の開口部１ａへの取り付けをより容易に行うことができる。そのため、この延長部分３１ａ，３１ａの押し広げを機械などにより自動的に行えるようにすることによって、スライダー３の取り付け作業を連続工程で自動化できる。
【００６５】
［識別マークなど］
また、スライダー３は移動方向（前後方向）に対して非対称形状とされている。そのため、スライダー３の開口部１ａへの取り付け方向を間違えないように、本例においては表裏を識別するための識別マーク３５が側方部分３１２の表面に設けられている。本例では、この識別マーク３５は本例においては一方側の表面に１本、他方側の表面に２本が形成されている。
【００６６】
そして本例では、上記の識別マーク３５に加え、図３（Ａ）（Ｂ）（Ｄ）に示すように、一方の側面にＶ形の溝である整列用切込部３６が２箇所に設けられている。この整列用切込部３６は、上記のようにスライダー本体３１の開口部１ａへの取り付けを自動化する際、そのための機械に、一定の方向にスライダー３を並べるために使用され、工程の自動化に貢献できるものである。
【００６７】
［開口部の開放機構］
次に、本願発明独自の、開口部１ａを確実に開放するための機構について説明する。
【００６８】
本願発明に係るスライダー３の形式は、上記で説明した「チャック上方拡開式」であるため、特許文献１に示すスライダー（図１１参照）とは異なり、各嵌合条部２１ａ，２１ｂの間にセンター部３２が挟まれたものとはなっておらず、センター部３２の膨出部３２２から一方側テープ２ａ及び他方側テープ２ｂに及ぼす力の発する位置が各嵌合条部２１ａ，２１ｂよりも上方に存在している。そのため、この膨出部３２２から及ぶ力が、各嵌合条部２１ａ，２１ｂの上部にはかかりやすいが、下部にはかかりにくいという、「チャック上方拡開式」特有の、力が偏る問題を有している。これは、特許文献２に示すスライダー（図１２参照）でも同じである。
【００６９】
一方、本願の発明者らが密封袋を試作した際、外側爪部３３，３３同士の間隔が広いスライダー３の試作品を用いた場合では、開口部１ａの開放に失敗する場合があった。ところが、外側爪部３３，３３同士の間隔を狭めるようにスライダー３を外側から手で押さえてみたところ、うまく開放することができた。このことから本願の発明者らは、図６に示すように、外側爪部３３がチャックテープ２を押圧し、これによってチャックテープ２にかかった力Ｘが下側凸条２４の一部を支点２４ａとして逆方向に転換され、各嵌合条部２１ａ，２１ｂの下部に、各嵌合条部２１ａ，２１ｂを引き離す力Ｙとして伝達されていると推測した。なお、このような作用を有する下側凸条２４を設けたチャックテープは、今までに存在しない。
【００７０】
本例においては、図５（Ａ）及び図６に示すように、スライダー３の外側爪部３３から押圧を受けて各テープ２ａ，２ｂが接近した際に、各下側凸条２４，２４が各々に対向するチャックテープ２の内面に対して当接するようにされている。なお、この際対向する下側凸条２４，２４同士が当接するものであっても良い。
【００７１】
上記のように各テープ２ａ，２ｂ同士を接近させるために、スライダー３の外側爪部３３が各テープ２ａ，２ｂを押圧することが重要である。よって、スライダー３の外側爪部３３と他の外側爪部３３との間隔（外側爪部３３が片方にしか設けられない場合にあっては、外側爪部３３とこれに対向する側方部分３１２との間隔）が、下側凸条２４の当接がなされた際における、一方側テープ２ａと他方側テープ２ｂの各外面間の間隔よりも小さくなるように設定されている。
【００７２】
ここで上記各外面間の間隔とは、上記下側凸条２４の当接時において、外側爪部３３から押圧されるなどの外力を受けることがなく、前記外力の影響により各テープ２ａ，２ｂが撓んでいない状態における間隔を指す。つまり、この間隔よりも上記スライダー３の外側爪部３３の間隔を小さく設定しておくと、各テープ２ａ，２ｂのうち少なくとも一方にスライダー３の外側爪部３３からの押圧力Ｘが自然に働くことになる。
【００７３】
上記の当接によって、チャックテープ２のうち、スライダー３の外側爪部３３から押圧力Ｘを受ける部分が力点、下側凸条２４の上記当接がなされる点が支点２４ａ、上記各嵌合条部２１ａ，２１ｂの下部が作用点としてテコの作用をなす。このテコの作用により、図６に示すように、上記の外側爪部３３からの各テープ２ａ，２ｂを接近させる方向の押圧力Ｘが、各嵌合条部２１ａ，２１ｂの下部に、この各嵌合条部２１ａ，２１ｂを引き離そうとする力Ｙとして伝達される。
【００７４】
ここで、本願発明で言う「テコ」とは、物理学上の「テコ」よりも広い概念で規定しており、外側爪部３３からの押圧力Ｘと各嵌合条部２１ａ，２１ｂの下部に働く力Ｙとが、下側凸条２４を境に方向転換される機構全てを含む。
【００７５】
上記のように力の伝達がなされるため、図６に示すように、開放される際の各嵌合条部２１ａ，２１ｂは、上部については膨出部３２２からの力Ｚにより引き離され、下部についてはこのテコの作用による力Ｙで引き離される。このように上下で引き離されることになるため、各嵌合条部２１ａ，２１ｂの嵌合解除が従来の構造よりも容易にできる。これにより、開口部１ａの開放を従来の「チャック上方拡開式」よりも確実になすことができる。
【００７６】
本例では、上記で説明した各嵌合条部２１ａ，２１ｂを引き離そうとする力Ｙ、Ｚは幅方向の両側からかかるようにされているが、外側爪部３３からの押圧力が幅方向の片側からだけかかる場合にあっては、上記引き離そうとする力も片側からのみかかることになる。もしその場合であっても、上記と同様にテコの作用は働くので、開口部１ａの開放を確実になすことができる。
【００７７】
ところで、チャックテープ２のベース部２０があまりに腰の弱い材料であると、上記のようなテコの作用が働かない。よって、このベース部２０のうち、少なくともスライダー３の外側爪部３３から押圧を受ける部分から各嵌合条部２１ａ，２１ｂの下部までの区間にはある程度の剛性が要求される。この剛性は少なくとも、下側凸条２４が形成された側のチャックテープ２が、外側爪部３３の上記当接により受けた力Ｘを各嵌合条部２１ａ，２１ｂの下部へと、前記各嵌合条部２１ａ，２１ｂを引き離そうとする力Ｙとして伝達できる程度のものであることが必要である。
【００７８】
また、上記力点、支点（２４ａ）、作用点の位置関係については、図２に示すように、嵌合条部２１ａ，２１ｂの上下方向における中央位置から下側凸条２４の上下方向における中央位置までの距離（支点と作用点との距離）ｄ１と、スライダー３の外側爪部３３における、チャックテープ２に当接する部分の上端位置から下側凸条２４の上下方向における中央位置までの距離（支点と力点との距離）ｄ２との比率を、１０：１〜１：１と設定することが望ましい。なお、図２においては、上記外側爪部３３がチャックテープ２に当接する部分を、下側ガイド部２３の下側の斜面上端部分として記載したが、これは説明の便宜のための記載であって、この部分はチャックテープ２とスライダー３の組み合わせによって決まる（例えば図６参照）。
【００７９】
また、下側凸条２４の形状（縦断面形状）については種々に変更して実施可能である。例えば、図７（Ａ）に示すような略台形のもの、図７（Ｂ）に示すように一方が凸形、他方が凹形としたもの、図７（Ｃ）に示すようなチャックテープ２の一方の内面にのみ下側凸条２４を設けたもの、図７（Ｄ）に示すように比較的小さな曲率で湾曲させたものが例示できる。これら図示したものはほんの一例であって、その他種々の形状に変更して実施が可能である。
【００８０】
［開口部止めシール］
次に、密封袋１に形成された開口部止めシール１１，１２について説明する。
【００８１】
密封袋１の開口部１ａは、図１及び図５に示すように、ヒートシールによって形成された開口部止めシール１１，１２により、上記の開口時スライダー位置Ｏと閉鎖時スライダー位置Ｓにおけるスライダー３に各々隣接する部分の一方側テープ２ａと他方側テープ２ｂとが接着されている。
【００８２】
上記のうち、閉鎖時スライダー位置Ｓの側に設けられた閉鎖側開口部止めシール１１については、少なくとも内側閉鎖シール１１１と下部シール１１２の二つの部分により構成されている。本例ではこれらに加えてストッパーシール１１３が設けられており、三つの部分により構成されている。
【００８３】
内側閉鎖シール１１１は、図８（Ａ）に示すように、その上端１１１ａが上記の嵌合条部２１ａ，２１ｂよりも上であり（具体的には、上記の上端１１１ａが上記の嵌合条部２１ａ，２１ｂのいずれかの下端よりも上方に形成されている）、かつ、スライダー３のセンター部３２の移動を干渉することのない位置に設けられている。つまり、この内側閉鎖シール１１１の形成にあっては、各嵌合条部２１ａ，２１ｂがヒートシール時の熱により溶融しても、その際に溶融した樹脂が各嵌合条部２１ａ，２１ｂとテープ側ガイド部２２の間においてスライダー３のセンター部３２の移動を干渉する程には入り込んでしまわないようになされる。
【００８４】
上記のことを言い換えると、内側閉鎖シール１１１の上端１１１ａの設けられる範囲は、下限が嵌合条部２１ａ，２１ｂのいずれかの下端であって、上限がスライダー３のセンター部３２の移動を干渉することのない位置により決定される。
【００８５】
下部シール１１２は、図８（Ａ）に示すように、上記の内側閉鎖シール１１１に連続するものであって、内側閉鎖シール１１１よりも閉鎖時スライダー位置Ｓ寄り（図示右寄り）に設けられたものである。この下部シール１１２は、その上端１１２ａが上記嵌合条部２１ａ，２１ｂよりも下の位置に設けられており（具体的には、上記の上端１１２ａが上記の嵌合条部２１ａ，２１ｂのいずれかの下端よりも下方に形成されている）、下端は内側閉鎖シール１１１の下端と同位置に設けられている。
【００８６】
ストッパーシール１１３は、図８（Ａ）に示すように、上記の下部シール１１２に連続するものであって、下部シール１１２よりも閉鎖時スライダー位置Ｓ寄り（図示右寄り）に設けられたものである。このストッパーシール１１３は、その上端１１３ａが袋本体１の上端に一致するように設けられており、下端は内側閉鎖シール１１１及び下部シール１１２の下端と同位置に設けられている。なお通常の場合、図１に示すように、このストッパーシール１１３と袋本体１に形成された端辺シールとは重ねて設けられている。
【００８７】
この閉鎖側開口部止めシール１１におけるストッパーシール１１３は、スライダー３が閉鎖時スライダー位置Ｓに存在する際に、図８（Ａ）に示すように、このスライダー３のセンター部３２の更に外側（スライダー３の移動範囲の外側）に存在することでスライダー３がそれ以上移動することを阻止し、スライダー３が密封袋１の開口部１ａから脱落してしまうことを防いでいる。
【００８８】
このストッパーシール１１３は、本願発明においては必須ではなく設けなくても良い。ただしその場合にあっても、上記のようにスライダー３の開口部１ａからの脱落を防止するために、スライダー３が閉鎖時スライダー位置Ｓに存在する際に、このスライダー３の一部に当接するためのストッパー４を設けておく必要がある。このストッパー４は本例のようなヒートシールに限定されず、クリップ状の金具や樹脂製部品などを袋本体１及びチャックテープ２に取り付けたり、チャックテープ２の端部を膨らませるなどして変形させたものであっても良く、種々の形態で実施可能である。本例ではこのストッパーシール１１３が上記のストッパー４を兼ねている。なお、上記では閉鎖時スライダー位置Ｓについて説明したが、閉鎖時スライダー位置Ｏにあっても同様であり、本例では開放側開口部止めシール１２の一部がストッパー４を兼ねている。
【００８９】
上記のように各シール１１１〜１１３が設けられたことにより、内側閉鎖シール１１１の閉鎖時スライダー位置Ｓ寄りの端辺（図示右側端辺）１１１ｂ及びその延長線、下部シール１１２の上端辺１１２ａ、ストッパーシール１１３の開放時スライダー位置Ｏ寄り（図示左寄り）の端辺１１３ｂ、の各々によって規定された、ヒートシールのなされない部分であるポケット部Ｐが形成される。
【００９０】
ここで、もしもストッパーシール１１３が設けられない場合においては、ポケット部Ｐの閉鎖時スライダー位置Ｓ寄りの端部（図示右側端部）は、袋本体１及びチャックシール２の閉鎖時スライダー位置Ｓ寄りの端辺（図示右側端辺）によって規定される。
【００９１】
このようにポケット部Ｐが形成されたことにより、内側閉鎖シール１１１よりも袋本体１の側端側の少なくとも一部で上記一方側テープ２ａにおける嵌合条部２１ａと他方側テープ２ｂにおける嵌合条部２１ｂとが接着されてない状態とされる。そのため、図８（Ａ）に示すように、このポケット部Ｐにスライダー３のセンター部３２が位置した場合であっても、図９に示すように、膨出部３２２が挟まれていても、対向するチャックテープ２ａ，２ｂの間を無理なく広げることができる。このようにポケット部Ｐが形成されたことにより、スライダー３が閉鎖時スライダー位置Ｓにある際、このポケット部Ｐで上記センター部３２によって上記嵌合条部２１ａ，２１ｂが引き離された状態となっていても、密封袋の気密性に影響を与えない。よって、特許文献２に記載の発明のような、従来の「チャック上方拡開式」で必須であった逃がし孔やスリットを袋本体１に設ける必要がない。ただし本願発明は、逃がし孔やスリットを設けることを完全に排除するものではなく、これらを設けても良い。
【００９２】
このポケット部Ｐは少なくとも、上端１１１ａが上記の嵌合条部２１ａ，２１ｂよりも上に設けられた内側閉鎖シール１１１と、下部シール１１２とによって、密封袋において物品を収納するための内部空間とは仕切られている。そのため、上記の逃がし孔やスリットを設けなくても、閉鎖時における密封袋の気密性を保つことができる。
【００９３】
図１において右側に形成された閉鎖側開口部止めシール１１については上記の通りであるが、同左側に形成された開放側開口部止めシール１２についても基本的な構成は同じである。ただ、この開放側開口部止めシール１２は、開口部１ａが開いた際にスライダー３が位置する部分であるため、スライダー３のセンター部３２が干渉しない形状でさえあれば、種々の形状で実施可能である。本例では、図８（Ｂ）に示すように、膨出部３２２が位置する部分についてヒートシールを省略している。
【００９４】
なお本例では、閉鎖側開口部止めシール１１と開放側開口部止めシール１２とは、図８（Ｃ）に示すように一体に形成される。そして、製袋時に各密封袋単位に切り離される工程において、各開口部止めシール１１，１２に切り離される。
【００９５】
上記のように閉鎖側開口部止めシール１１が形成されているため、スライダー３を図１上の左側から右側へと移動させることにより、チャックテープ２をスライダー３の側方部分３１２が押さえつけ、これにより各嵌合条部２１ａ，２１ｂの嵌合がなされて開口部１ａが閉鎖される。そして、スライダー３が図示右側まで移動した場合でも、図９に示す状態となって、袋本体１を構成するプラスチックフィルムには無理がかからず、袋内の気密状態が良好に保たれる。
【００９６】
逆に、スライダー３を図１上の右側から左側に移動させることにより、図５（Ｂ）に示すように、スライダー３の膨出部３２２が各嵌合条部２１ａ，２１ｂを引き離すため、開口部１ａを簡単に開放することができる。
【００９７】
［「インナーチャック」構造］
ここで本例では、袋本体１の開口部１ａに取り付けられたチャックテープ２の上端が、図２に破線で示すように、袋本体１の上端よりも下に位置する、いわゆる「インナーチャック」構造とされている。
【００９８】
一方、先に説明した特許文献１及び２に記載された密封袋の開口部は、いわゆる「天チャック」構造、つまり、密封袋の袋本体の上端よりもチャックテープの上端が上に設けられた構成を取ることを前提としている。
【００９９】
チャックテープは上記のように通常ポリエチレン樹脂から形成されているが、このチャックテープの端部をヒートシールしようとしても、テープ全体が溶融して形が崩れてしまう恐れがあることから、チャックテープを十分に溶融させることができず、気密性の高いヒートシールを施すことが困難であった。そのため、「天チャック」構造では、密封袋全体の気密性を高めることが困難であった。
【０１００】
これに対し、本例はいわゆる「インナーチャック」構造を取ることによって、ヒートシールの際に溶融したチャックテープ２のポリエチレン樹脂を袋本体１を構成するプラスチックフィルムで挟むことができる。つまり、対向する関係にある袋本体１のプラスチックフィルムの間において十分な熱を加えてチャックテープ２を溶融させることが可能であり、これにより、従来と比べて高い気密性を持ってヒートシールすることができる。
【０１０１】
［その他の例］
また、本例における一方側テープ２ａは、袋本体１を構成するプラスチックフィルムに対し、上記一方側嵌合条部２１ａを基準とした上側と下側とにおいて、一方側嵌合条部２１ａに平行にヒートシールＳｅ１，Ｓｅ２がされたことにより取り付けられている。そして、同他方側テープ２ｂは、袋本体１を構成するプラスチックフィルムに対し、上記他方側嵌合条部２１ｂを基準とした上側のみにおいて、他方側嵌合条部２１ｂに平行にヒートシールＳｅ３がされたことにより取り付けられている（図１０（Ａ）（Ｂ）参照）。
【０１０２】
ここで、一方側テープ２ａをプラスチックフィルムに対して上記と同じようにヒートシール（Ｓｅ１’，Ｓｅ２’）し、他方側テープ２ｂを一方側テープ２ａと同じように、上下ともプラスチックフィルムに対してヒートシール（Ｓｅ３’，Ｓｅ４’）したとすると、袋内の内圧がチャックテープ２にかかった場合、図１０（Ｄ）に矢印で示すように、この内圧が嵌合された状態にある各嵌合条部２１ａ，２１ｂを引き離すように働いてしまう。これに対して、本例のように他方側テープ２ｂを上部のみヒートシールしたものとすることにより、袋内の内圧がチャックテープ２にかかった場合でも、図１０（Ｃ）に矢印で示すように、この内圧を他方側テープ２ｂとプラスチックフィルムとの間に導くことができる。これにより各嵌合条部２１ａ，２１ｂの嵌合がより強まるように作用するため、袋内の密封状態が破られるということが起こりにくく、袋内の密封状態がより良く保たれる。
【０１０３】
なお、各テープ２ａ，２ｂと袋本体１を構成するプラスチックフィルムとの接着は、上記に示した形態に限られず、一方側テープ２ａと他方側テープ２ｂとのうち少なくとも一方における、上記袋本体１を構成するプラスチックフィルムに対する接着箇所が、上記各嵌合条部２１ａ，２１ｂよりも上方に位置していれば良い。
【図面の簡単な説明】
【０１０４】
【図１】本例に係る密封袋全体を示す正面図である。
【図２】同密封袋の開口部及びチャックテープを示す縦端面図である。
【図３】本例に係るスライダーを示し、（Ａ）は左側面図、（Ｂ）は正面図、（Ｃ）は右側面図、（Ｄ）は背面図、（Ｅ）は平面図、（Ｆ）は底面図である。
【図４】本例に係るスライダーを示し、（Ａ）は図３（Ａ）におけるＡ−Ａ断面図、（Ｂ）は図３（Ｄ）におけるＢ−Ｂ断面図、（Ｃ）は図３（Ｄ）におけるＣ−Ｃ断面図、（Ｄ）は図３（Ｂ）におけるＤ−Ｄ断面図、（Ｅ）は図３（Ｂ）におけるＥ−Ｅ断面図である。
【図５】本例に係る密封袋の開口部を示す縦端面図であり、（Ａ）は各嵌合条部が嵌合した状態を示し、（Ｂ）はスライダーにより各嵌合条部が引き離された状態を示す。
【図６】下側凸条の作用を説明するための、断面視の概略図である。
【図７】（Ａ）〜（Ｄ）とも下側凸条の形状の一例を示す、断面視の概略図である。
【図８】開口部止めシールとスライダーを示す正面視概略図であり、（Ａ）は閉鎖側開口部止めシールを示し、（Ｂ）は開放側開口部止めシールを示し、（Ｃ）は密封袋の製造途中における開口部止めシールの形状を示す。
【図９】ポケット部の位置における、開口部止めシールとスライダーを示す縦端面図である。
【図１０】（Ａ）はチャックテープと袋本体との間の接着を示す縦端面の概略図であり、（Ｂ）は同正面視の概略図であり、（Ｃ）は内圧が作用した場合を示す縦断面視の概略図であり、（Ｄ）は比較例の縦断面視の概略図である。
【図１１】特許文献１に係るチャックテープとスライダーとの関係を示す縦端面図である。
【図１２】特許文献２に係るチャックテープとスライダーとの関係を示す縦端面図である。
【図１３】従来のスライダーの一部分を跳ね上げた状態を示し、（Ａ）は特許文献１に係るスライダー、（Ｂ）は特許文献２に係るスライダーに係るものである。
【符号の説明】
【０１０５】
１        袋本体
１１      閉鎖側開口部止めシール
１２      開放側開口部止めシール
１ａ      開口部
２        チャックテープ
２ａ      一方側テープ
２ｂ      他方側テープ
２１ａ    一方側嵌合条部
２１ｂ    他方側嵌合条部
２２      ガイド用凸条
２４      下側凸条
２４ａ    支点
２５      スライダー導入補助用凸条
３        スライダー
３１      スライダー本体
３１１    スライダー本体の上方部分
３１２    スライダー本体の側方部分
３２      センター部
３２１    支持部
３２２    膨出部
３３      外側爪部
３４      貫通穴
Ｏ        開口時スライダー位置
Ｓ        閉鎖時スライダー位置
Ｘ        チャックテープが外側爪部の当接により受けた力
Ｙ        各嵌合条部を引き離そうとする力
【図１】
2010095292.tif 000003
【図３】
2010095292.tif 000004
【図４】
2010095292.tif 000005
【図５】
2010095292.tif 000006
【図６】
2010095292.tif 000007
【図７】
2010095292.tif 000008
【図８】
2010095292.tif 000009
【図９】
2010095292.tif 000010
【図１０】
2010095292.tif 000011
【図１１】
2010095292.tif 000012
【図１２】
2010095292.tif 000013
【図１３】
2010095292.tif 000014
【図２】
2010095292.tif 000015